(57)【特許請求の範囲】
【請求項１】
吸気口と排気口を有する本体ケースと、この本体ケース内に設けた送風手段と、この送風手段の吸込側と前記本体ケースの吸気口との間に備えた加湿手段装着部と、この加湿手段装着部に着脱自在に設けた加湿手段とを備え、前記加湿手段は、加湿水を貯める上面が開口した水槽と、この水槽に一定量の加湿水を供給する給水タンクと、前記水槽に供給された加湿水に一部が浸漬するように前記水槽内に設けた加湿フィルター部とから形成し、前記水槽は、一端側に取手部を備え、前記加湿手段装着部に前記水槽および前記加湿フィルター部を装着する場合に前記取手部を掴み、前記加湿手段装着部内へ水平方向へ移動させると、最初に、前記水槽の前記取手部側が上がった傾斜状態となり、このような傾斜状態で第１の移動距離を移動し、次に、傾斜状態から水平状態になる第２の移動距離を移動する構成とし、前記第２の移動距離は、前記第１の移動距離より短く、前記水槽は、略椀形状の水槽部と、前記水槽部底面の両端部から下方へ突出した第１の突出部と、第２の突出部と、これら第１の突出部と第２の突出部との間に上方へ窪んだ第１の窪み部とから形成し、前記第１の突出部は前記取手部側に位置し、前記加湿手段装着部は、前記本体ケースの一方側面から他方側面方向へ延びた断面形状が略四角形状の穴である空間部で、この空間部の開口側の底面端部から上方に突出した第３の突出部を設け、前記水槽の移動方向における前記第２の突出部の長さは、前記水槽の移動方向における前記第１の突出部と前記第１の窪み部との長さ、および前記水槽の移動方向における前記第３の突出部の長さより長い構成とした加湿装置。
【請求項２】
前記水槽の前記第２の突出部と前記第１の窪み部との間に、前記第２の突出部と前記第１の窪み部とを繋ぐ第１の傾斜部を設け、前記加湿手段装着部の前記第３の突出部と前記空間部の底面との間に、前記加湿手段装着部の前記第３の突出部と前記空間部の底面とを繋ぐ第２の傾斜部を設け、前記水槽の移動方向における前記水槽の前記第１の傾斜部の長さは、前記水槽の移動方向における前記加湿手段装着部の前記第２の傾斜部の長さより短い構成とし、前記加湿手段装着部に前記水槽を装着すると、前記第１の傾斜部と前記第２の傾斜部との間に隙間を備えた構成とした請求項１に記載の加湿装置。
【請求項３】
前記加湿手段装着部の前記第３の突出部に上方に突出した第４の突出部を設け、前記水槽部の第１の窪み部に上方へ窪んだ第２の窪み部を備え、前記加湿手段装着部に前記水槽を装着すると、前記第４の突出部が前記第２の窪み部に嵌る構成とした請求項１または２に記載の加湿装置。
【発明の詳細な説明】
【技術分野】
【０００１】
本発明は、空気を加湿することのできる加湿装置に関する。
【背景技術】
【０００２】
従来のこの種の加湿装置の構成は以下のようになっていた。
【０００３】
すなわち、吸気口と排気口を有する本体ケースと、この本体ケース内に設けた送風手段と、この送風手段の吸込側と前記本体ケースの吸気口との間に備えた加湿手段装着部と、この加湿手段装着部に着脱自在に設けた加湿手段とを備え、前記加湿手段は、加湿水を貯める上面が開口した水槽と、この水槽に一定量の加湿水を供給する給水タンクと、この給水タンクに供給された加湿水に一部が浸漬するように前記水槽内に設けた加湿フィルター部とから形成し、前記水槽は、一端側に取手部を備え、前記加湿手段装着部に前記水槽および前記加湿フィルター部を装着する場合に前記取手部を掴み、前記本加湿手段装着部内に水平方向へ移動させることで着脱される構成となっていた。
【０００４】
（例えば、これに類似する先行文献は下記特許文献１に記載されている。）
【先行技術文献】
【特許文献】
【０００５】
【特許文献１】特開２００５−２８２９８０号公報
【発明の概要】
【発明が解決しようとする課題】
【０００６】
上記従来例における課題は、加湿手段装着部への水槽の着脱性をより向上させるということであった。
【０００７】
すなわち、従来の物においては、水槽の取手部を掴み加湿手段装着部から水平方向へ引き出すことにより本体ケースから水槽を取り外すことができ、加湿手段装着部に水平方向へ挿入することにより本体ケースへ水槽を装着することができる。ここで、水槽は床とほぼ同じ高さに位置するので、水槽の取手部の位置が低く、そのまま水平方向に引き出したり、挿入しにくいものであった。
【０００８】
そこで本発明は、加湿手段装着部への水槽の着脱性をより向上させることを目的とするものである。
【課題を解決するための手段】
【０００９】
そしてこの目的を達成するために本発明は、吸気口と排気口を有する本体ケースと、この本体ケース内に設けた送風手段と、この送風手段の吸込側と前記本体ケースの吸気口との間に備えた加湿手段装着部と、この加湿手段装着部に着脱自在に設けた加湿手段とを備え、前記加湿手段は、加湿水を貯める上面が開口した水槽と、この水槽に一定量の加湿水を供給する給水タンクと、この給水タンクに供給された加湿水に一部が浸漬するように前記水槽内に設けた加湿フィルター部とから形成し、前記水槽は、一端側に取手部を備え、前記本加湿手段装着部に前記水槽および前記加湿フィルター部を装着する場合に前記取手部を掴み、前記本加湿手段装着部内へ水平方向へ移動させると、最初に、前記水槽の前記取手部側が上がった傾斜状態となり、このような傾斜状態で第１の移動距離を移動し、次に、傾斜状態から水平状態になる第２の移動距離を移動する構成とし、前記第２の移動距離は、前記第１の移動距離より短く、前記水槽は、略椀形状の水槽部と、前記水槽部底面の両端部から下方へ突出した第１の突出部と、第２の突出部と、これら第１の突出部と第２の突出部との間に上方へ窪んだ第１の窪み部とから形成し、前記第１の突出部は前記取手部側に位置し、前記加湿手段装着部は、前記本体ケースの一方側面から他方側面方向へ延びた断面形状が略四角形状の穴である空間部で、この空間部の開口側の底面端部から上方に突出した第３の突出部を設け、前記水槽の移動方向における前記第２の突出部の長さは、前記水槽の移動方向における前記第１の突出部と前記第１の窪み部との長さ、および前記水槽の移動方向における前記第３の突出部の長さより長い構成としたことを特徴とするものであり、これにより、初期の目的を達成するものである。
【発明の効果】
【００１０】
以上のように本発明は、吸気口と排気口を有する本体ケースと、この本体ケース内に設けた送風手段と、この送風手段の吸込側と前記本体ケースの吸気口との間に備えた加湿手段装着部と、この加湿手段装着部に着脱自在に設けた加湿手段とを備え、前記加湿手段は、加湿水を貯める上面が開口した水槽と、この水槽に一定量の加湿水を供給する給水タンクと、この給水タンクに供給された加湿水に一部が浸漬するように前記水槽内に設けた加湿フィルター部とから形成し、前記水槽は、一端側に取手部を備え、前記加湿手段装着部に前記水槽および前記加湿フィルター部を装着する場合に前記取手部を掴み、前記加湿手段装着部内へ水平方向へ移動させると、最初に、前記水槽の前記取手部側が上がった傾斜状態となり、このような傾斜状態で第１の移動距離を移動し、次に、傾斜状態から水平状態になる第２の移動距離を移動する構成とし、前記第２の移動距離は、前記第１の移動距離より短く、前記水槽は、略椀形状の水槽部と、前記水槽部底面の両端部から下方へ突出した第１の突出部と、第２の突出部と、これら第１の突出部と第２の突出部との間に上方へ窪んだ第１の窪み部とから形成し、前記第１の突出部は前記取手部側に位置し、前記加湿手段装着部は、前記本体ケースの一方側面から他方側面方向へ延びた断面形状が略四角形状の穴である空間部で、この空間部の開口側の底面端部から上方に突出した第３の突出部を設け、前記水槽の移動方向における前記第２の突出部の長さは、前記水槽の移動方向における前記第１の突出部と前記第１の窪み部との長さ、および前記水槽の移動方向における前記第３の突出部の長さより長い構成としたことを特徴とするものであり、加湿手段装着部への水槽の着脱性をより向上できるものである。
【００１１】
すなわち、加湿手段装着部に水槽および加湿フィルター部を装着する場合には、まず、水槽一端側の取手部を掴み、加湿手段装着部内へ水平方向へ移動させると、水槽の取手部側が上がった傾斜状態となる。このような傾斜状態で第１の移動距離を移動し、次に、傾斜状態から水平状態になる第２の移動距離を移動するものである。ここで、第２の移動距離は、第１の移動距離より短いものである。
【００１２】
つまり、水槽の取手部側が上がった傾斜状態が長く保たれ、加湿手段装着部への水槽および加湿フィルター部の装着が容易になる。
【００１３】
これらの結果により、加湿手段装着部への水槽の着脱性をより向上させることができるものである。
【図面の簡単な説明】
【００１４】
【図１】本発明の実施の形態１の加湿装置の概略側面図
【図２】本発明の実施の形態１の加湿装置の概略断面図
【図３】本発明の実施の形態１の加湿手段の概略図
【図４】本発明の実施の形態１の加湿手段装着部の底面の概略断面を示す図
【図５】本発明の実施の形態１の加湿手段装着部の底面と水槽の概略断面を示す図
【発明を実施するための形態】
【００１５】
以下、本実施形態を添付図面を用いて説明する。
【００１６】
（実施の形態１）
図１、図２、図３、図４および図５に示すように、本実施形態の加湿装置は、前面に吸気口２と、天面に排気口３を有する略箱形状の本体ケース１と、この本体ケース１内に送風手段４と、加湿手段５とを備えている。送風手段４は、本体ケース１の吸気口２と排気口３とを連通する送風路に位置し、この送風手段４の吸込側と本体ケース１の吸気口２との間に加湿手段装着部６を備えている。この加湿手段装着部６に、加湿手段５が着脱自在に設けられている。
【００１７】
加湿手段５は、水槽７と、給水タンク８と、加湿フィルター部９とから形成している。
【００１８】
水槽７は、加湿水を貯める上面が開口した略箱形状で、一方側側面に取手部１０を備えている。水槽７内の一方側には、給水タンク８が装着され、水槽７内の他方側には加湿フィルター部９が装着される。
【００１９】
給水タンク８は、縦長略箱形状のタンク部１１と、このタンク部１１の底面に設けた蓋部１２と、この蓋部１２に設けた弁部１３とから形成している。この弁部１３から一定量の加湿水が、水槽７に供給される。
【００２０】
加湿フィルター部９は、略円板形状の吸い上げ式の加湿フィルター１４と、この加湿フィルター１４を固定する加湿フィルター枠１５とから形成している。この加湿フィルター枠１５を水槽７に装着すると、加湿フィルター１４の一部が、水槽７に供給された加湿水に浸漬するものである。
【００２１】
以上のような構成で加湿装置を運転すると、送風手段４によって本体ケース１の吸気口２から吸い込まれた空気が、含水した加湿フィルター１４を介して加湿され、本体ケース１の排気口３から吹き出される。
【００２２】
加湿手段装着部６に加湿手段５を装着する動作について説明する。加湿手段装着部６は、本体ケース１における一方側側面から内方へ伸びた穴である空間部で、この空間部は、本体ケース１における一方側側面から見ると略縦長四角形状である。この加湿手段装着部６に加湿手段５を装着するには、まず、水槽７内の他方側に加湿フィルター部９を装着する。次に、この装着した状態で、水槽７の取手部１０を掴んで、水槽７および加湿フィルター部９を加湿手段装着部６に水平方向へ挿入する。最後に、水槽７内の一方側に、給水タンク８を垂直方向に装着する。また、取り外す場合は、装着手順の逆の手順で行なう。
【００２３】
本実施形態における特徴は、加湿手段装着部６と水槽７の構成である。すなわち、加湿手段装着部６に水槽７および加湿フィルター部９を装着する場合には、まず、水槽７一端側の取手部１０を掴み、加湿手段装着部６内へ水平方向へ移動させると、水槽７の取手部１０側が上がった傾斜状態となる。このような傾斜状態で第１の移動距離を移動し、次に、傾斜状態から水平状態になる第２の移動距離を移動するものである。ここで、第２の移動距離は、第１の移動距離より短いものである。
【００２４】
つまり、水槽の取手部側が上がった傾斜状態が長く保たれ、加湿手段装着部への水槽および加湿フィルター部の装着が容易になる。
【００２５】
これらの結果により、加湿手段装着部６への水槽７の着脱性をより向上させることができるものである。
【００２６】
具体的には、水槽７は、略椀形状の水槽部１６と、水槽部１６底面の両端部から下方へ突出した第１の突出部１７と、第２の突出部１８とを備えている。第１の突出部１７は、水槽７の取手部１０側に位置し、水槽部１６底面から突出した横長四角形状の平板である。第２の突出部１８は、水槽部１６底面が下方向に下り突出したものである。これら第１の突出部１７と第２の突出部１８との間には、上方へ窪んだ第１の窪み部１９を有している。
【００２７】
加湿手段装着部６は、本体ケース１の一方側面から他方側面方向へ延びた断面形状が略四角形状の穴である空間部である。この空間部の開口側の底面２０端部から上方に突出した第３の突出部２１を設けている。この第３の突出部２１は、加湿手段装着部６の底面２０が上方向へ上がり突出したものである。
【００２８】
ここで、水槽７を加湿手段装着部６に装着、および取り外しする移動方向における第２の突出部１８の長さは、水槽７の移動方向における第１の突出部１７と第１の窪み部１９との長さ、および水槽の７移動方向における第３の突出部２１の長さより長い構成としたものである。
【００２９】
これにより、水槽７一端側の取手部１０を掴み、加湿手段装着部６内へ水平方向へ移動させると、水槽部１６の第２の突出部１８の底面が、加湿手段装着部６の底面２０と第３の突出部２１の上部に位置し、水槽７の取手部１０側が上がった傾斜状態となる。
【００３０】
この状態で、更に、水槽７を加湿手段装着部６内へ水平方向へ移動させると、常に水槽部１６の第２の突出部１８の底面が、加湿手段装着部６の底面２０と第３の突出部２１とに接触しながら移動する。この状態で移動する移動距離が、第１の移動距離である。
【００３１】
更に、水槽７を加湿手段装着部６内へ水平方向へ移動させると、水槽部１６の第２の突出部１８の底面が、加湿手段装着部６の第３の突出部２１とから外れ、水槽部１６の第１の窪み部１９が加湿手段装着部６の第３の突出部２１に接触すると共に、水槽部１６の第２の突出部１８の底面は、加湿手段装着部６の底面２０のみと接触しながら移動する。これらの状態で移動する移動距離が、第２の移動距離である。
【００３２】
ここで、水槽７を加湿手段装着部６に装着、および取り外しする移動方向における第２の突出部１８の長さは、水槽７の移動方向における第１の突出部１７と第１の窪み部１９との長さ、および水槽７の移動方向における第３の突出部２１の長さより長いので、第２の移動距離は、第１の移動距離より短くなる。つまり、水槽の取手部側が上がった傾斜状態が長く保たれ、加湿手段装着部への水槽および加湿フィルター部の装着が容易になる。
【００３３】
また、水槽７の第２の突出部１８と第１の窪み部１９との間に、第２の突出部１８と第１の窪み部１９とを繋ぐ第１の傾斜部２２を設け、この第１の傾斜部２２は、水槽部１６底面から突出した略三角形状の平板である。加湿手段装着部６の第３の突出部２１と空間部の底面２０との間に、加湿手段装着部６の第３の突出部２１と空間部の底面２０とを繋ぐ第２の傾斜部２３を設け、この第２の傾斜部２３は、加湿手段装着部６の底面２０が上方向へ上がり傾斜したものである。ここで、水槽７の移動方向における水槽７の第１の傾斜部２２の長さは、水槽７の移動方向における加湿手段装着部６の第２の傾斜部２３の長さより短いものであり、加湿手段装着部６に水槽７を装着すると、第１の傾斜部２２と第２の傾斜部２３との間に隙間２４を備えたものである。
【００３４】
以上の構成で、水槽７を加湿手段装着部６から引き出す場合は、まず、水槽７の取手部１０を掴んで、水槽７を加湿手段装着部６から引き出すと、隙間２４があるので、水槽７の第２の突出部１８は、加湿手段装着部６の底面２０上を移動すると共に、水槽７の第１の窪み部１９は、加湿手段装着部６の第３の突出部２１上を水平方向へ移動する。
【００３５】
次に、水槽７の第２の突出部１８と第１の傾斜部２２とが交わる第１の交点部２５が、加湿手段装着部６の第２の傾斜部２３上を移動すると共に、第２の突出部１８の端部が加湿手段装着部６の底面２０上を移動する。
【００３６】
このように、第１の傾斜部２２と第２の傾斜部２３との間に隙間２４を備えており、水平方向へ移動した後で、第２の傾斜部２３上を移動するので、移動が円滑に行なえる。
【００３７】
更に、水槽７の第２の突出部１８と第１の傾斜部２２とが交わる第１の交点部２５が、加湿手段装着部６の第２の傾斜部２３上を移動すると共に、第２の突出部１８の端部が加湿手段装着部６の底面２０上を移動するので、接触面積が小さく、移動が円滑に行なえる。
【００３８】
更に、水槽７を加湿手段装着部６から引き出すと、水槽７の第２の突出部１８の底面が、加湿手段装着部６の第３の突出部２１と第２の傾斜部２３とが交わる第２の交点部２６上を移動すると共に、第２の突出部１８の端部が加湿手段装着部６の底面２０上を移動する。
【００３９】
最後に、水槽７の第２の突出部１８の底面が、加湿手段装着部６の第３の突出部２１上を移動し、水槽７が加湿手段装着部６から取り出せるものである。このように、水槽７の第２の突出部１８の底面が、加湿手段装着部６の第３の突出部２１と第２の傾斜部２３とが交わる第２の交点部２６上を移動すると共に、第２の突出部１８の端部が加湿手段装着部６の底面２０上を移動するので、接触面積が小さく、移動が円滑に行なえる。
【００４０】
一方、水槽７を加湿手段装着部６に装着する場合は、逆の動きになる。まず、水槽７を加湿手段装着部６に挿入すると、水槽７の第２の突出部１８の底面が、加湿手段装着部６の第３の突出部２１上を移動する。
【００４１】
更に挿入すると、水槽７の第２の突出部１８の底面が、加湿手段装着部６の第３の突出部２１と第２の傾斜部２３とが交わる第２の交点部２６上を移動すると共に、第２の突出部１８の端部が加湿手段装着部６の底面２０上を移動する。
【００４２】
更に挿入すると、水槽７の第２の突出部１８と第１の傾斜部２２とが交わる第１の交点部２５が、加湿手段装着部６の第２の傾斜部２３上を移動すると共に、第２の突出部１８の端部が加湿手段装着部６の底面２０上を移動する。
【００４３】
最後に、水槽７の第２の突出部１８は、加湿手段装着部６の底面２０上を移動すると共に、水槽７の第１の窪み部１９は、加湿手段装着部６の第３の突出部２１上を水平方向へ移動するものである。
【００４４】
また、加湿手段装着部６の第３の突出部２１には、上方に突出した第４の突出部２７を設け、水槽部１６の第１の窪み部１９に上方へ窪んだ第２の窪み部２８を備えてもよい。この第４の突出部２７は、第３の突出部２１の加湿手段装着部６における開口側に位置し、垂直断面形状が略三角形状である。
【００４５】
すなわち、水槽７を加湿手段装着部６に装着する場合は、水槽７の第２の突出部１８と第１の傾斜部２２とが交わる第１の交点部２５が、加湿手段装着部６の第２の傾斜部２３上を移動すると共に、第２の突出部１８の端部が加湿手段装着部６の底面２０上を移動する。ここで、第４の突出部２７が第２の窪み部２８に嵌るものである。これにより、水槽７が加湿手段装着部６に、装着状態を安定することができる。
【産業上の利用可能性】
【００４６】
以上のように本発明は、吸気口と排気口を有する本体ケースと、この本体ケース内に設けた送風手段と、この送風手段の吸込側と前記本体ケースの吸気口との間に備えた加湿手段装着部と、この加湿手段装着部に着脱自在に設けた加湿手段とを備え、前記加湿手段は、加湿水を貯める上面が開口した水槽と、この水槽に一定量の加湿水を供給する給水タンクと、この給水タンクに供給された加湿水に一部が浸漬するように前記水槽内に設けた加湿フィルター部とから形成し、前記水槽は、一端側に取手部を備え、前記加湿手段装着部に前記水槽および前記加湿フィルター部を装着する場合に前記取手部を掴み、前記加湿手段装着部内へ水平方向へ移動させると、最初に、前記水槽の前記取手部側が上がった傾斜状態となり、このような傾斜状態で第１の移動距離を移動し、次に、傾斜状態から水平状態になる第２の移動距離を移動する構成とし、前記第２の移動距離は、前記第１の移動距離より短いことを特徴とするものであり、加湿手段装着部への水槽の着脱性をより向上できるものである。
【００４７】
すなわち、加湿手段装着部に水槽および加湿フィルター部を装着する場合には、まず、水槽一端側の取手部を掴み、加湿手段装着部内に水平方向へ移動させると、水槽の取手部側が上がった傾斜状態となる。このような傾斜状態で第１の移動距離を移動し、次に、傾斜状態から水平状態になる第２の移動距離を移動するものである。ここで、第２の移動距離は、第１の移動距離より短いものである。
【００４８】
つまり、水槽の取手部側が上がった傾斜状態が長く保たれ、加湿手段装着部への水槽および加湿フィルター部の装着が容易になる。
【００４９】
これらの結果により、加湿手段装着部への水槽の着脱性をより向上させることができるものである。
【００５０】
従って、家庭用や事務所用などの、加湿装置として活用が期待されるものである。
【符号の説明】
【００５１】
１    本体ケース
２    吸気口
３    排気口
４    送風手段
５    加湿手段
６    加湿手段装着部
７    水槽
８    給水タンク
９    加湿フィルター部
１０  取手部
１１  タンク部
１２  蓋部
１４  加湿フィルター
１５  加湿フィルター枠
１６  水槽部
１７  第１の突出部
１８  第２の突出部
１９  第１の窪み部
２０  底面
２１  第３の突出部
２２  第１の傾斜部
２３  第２の傾斜部
２４  隙間
２５  第１の交点部
２６  第２の交点部
２７  第４の突出部
２８  第２の窪み部
【図１】
0005899432.tif 000002
【図２】
0005899432.tif 000003
【図３】
0005899432.tif 000004
【図４】
0005899432.tif 000005
【図５】
0005899432.tif 000006